(57)【要約】      （修正有）【課題】簡単な構造で効率良く濡れた身体を乾燥させることのできる身体乾燥装置を提供する。【解決手段】身体乾燥装置１は、空気圧縮機２と、空気圧力調整弁３と、空気分配器４と、空気噴射装置５と、それらを繋ぐパイプ６と複数本のビニールホース７とで構成する。電動機駆動の空気圧縮機で外気を圧縮し、空気圧力調整弁で圧力を調整して空気分配器に送り、空気分配器の複数の吐出口から吐出させる。基台板８の上に断面四角形の筒状体形状の空気噴射装置を立設し、その筒状体の一側面に前記ビニールホースの本数に等しい数の丸孔を等間隔で設け、各丸孔に水平方向に向けてノズルを取り付ける。各ノズル９と空気分配器の吐出口との間を基台板近くの側面に設けた孔１０を通過するビニールホースで繋ぎ、各ノズル先端から圧縮空気を水平方向に噴出させる。【選択図】図１
0003235575.tif 000002
【実用新案登録請求の範囲】
【請求項１】
入浴、シャワー等で濡れた身体についた水滴を吹き飛ばして身体を乾燥されるための身体乾燥装置であって、
該身体乾燥装置は、空気圧縮機と、空気圧力調整弁と、空気分配器と、空気噴射装置と、それらを繋ぐパイプと複数本のビニールホースとから構成され、
前記空気圧縮機は電動機で駆動され、外気を取り込んで圧縮し、吐出口から圧縮空気を吐出させ、
前記空気圧力調整弁は、前記空気圧縮機が吐出する圧縮空気をパイプを介して受け取って設定された圧力に調整して吐出させ、
前記空気分配器は、前記空気圧力調整弁が吐出する圧縮空気をパイプを介して受け取って複数の吐出口から吐出させ、
前記空気噴射装置は、前記空気分配器の複数の吐出口から吐出される圧縮空気を複数本のビニールホースを介して受け取って各ビニールホースの出口から吹き出させるように構成されており、
該空気噴射装置は基台板の上に断面四角形の筒状体を立設し、その筒状体の一側面に前記ビニールホースの本数に等しい数の丸孔を等間隔で設け、前記基台板近くの側面に設けた孔から前記複数のビニールホースを筒状体内に引き込み、各ビニールホースの出口を前記各丸孔に水平方向に向けて取り付けたノズルに連結取付けして構成されており、
かかる構成により、前記空気圧縮機が吐出した圧縮空気が前記空気噴射装置に取りつけた複数のビニールホースが接続されたノズルの孔から水平方向に吹き出るようにしてあることを特徴とする身体乾燥装置。
【請求項２】
請求項１に記載の身体乾燥装置において、前記空気分配器の各吐出口には、通過する空気の流量を制御する流量制御弁が取り付けてあることを特徴とする身体乾燥装置。
【請求項３】
請求項１又は２に記載の身体乾燥装置において、前記空気分配器と空気噴射装置を繋ぐビニールホースの本数は５〜７本であることを特徴とする身体乾燥装置。
【考案の詳細な説明】
【技術分野】
【０００１】
本考案は、入浴、シャワー等で濡れた身体についた水滴を吹き飛ばして、身体を乾燥されるための身体乾燥装置に関する。
【背景技術】
【０００２】
入浴やシャワー等で身体や髪に付着した水滴はタオルで拭きとり、身体を乾燥させてから服を着るのが一般的である。しかし、タオルで拭くのは手間がかかるし、拭き残りも生ずる。首振り式の扇風機で乾燥されることも行なわれているが、一般的な扇風機の首振りで全身を乾燥させるのは困難である。
【０００３】
こうしたことから全身を簡単、且つ素早く乾燥させるために、身体全体に空気を吹きつける方式の身体乾燥装置が提案されている。例えば、特許文献１には、浴室に設置されて浴室内に空気を噴出する噴出手段と、その噴出手段に空気を送る送風機とからなり、噴出手段から噴出させた空気で身体に付着した水滴を吹き飛ばす身体乾燥装置が提案されている。しかし、この文献は噴出手段の構成についての説明が殆どされていない。浴室の壁面、床面、天井面の少なくとも１箇所に設置されて全身に対して空気を噴出するように構成され、「孔や溝、スリット等の噴出口（図示省略）が複数設けられており、」と書かれているのみで、噴出手段の全体構成、細部構成は全く不明である。
【０００４】
特許文献２には、縦向き本体とその底部に設けた底盤と、本体上部の天板とを具え、送風手段とヒーターにより発生させた熱風を本体に開設した身体用熱風吹き出し口から噴出させると同時に、天井板に設けたヘアー用熱風吹き出し口からも熱風を噴出させる身体乾燥装置が開示されている。しかし、この身体乾燥装置の場合、縦向き本体内の構造が複雑すぎる問題がある。
【先行技術文献】
【特許文献】
【０００５】
【特許文献１】特開２０１９−１２４０３３号公報
【特許文献２】特開２００６−２２３８１４号公報
【考案の開示】
【考案が解決しようとする課題】
【０００６】
本考案は、従来技術のこうした問題点を解決するためになされたもので、その課題は簡単な構造で効率良く濡れた身体を乾燥させることのできる身体乾燥装置を提供することにある。
【課題を解決するための手段】
【０００７】
前記課題を解決するための請求項１に記載の考案は、入浴、シャワー等で濡れた身体についた水滴を吹き飛ばして身体を乾燥されるための身体乾燥装置であって、該身体乾燥装置は、空気圧縮機と、空気圧力調整弁と、空気分配器と、空気噴射装置と、それらを繋ぐパイプと複数本のビニールホースとから構成され、前記空気圧縮機は電動機で駆動され、外気を取り込んで圧縮し、吐出口から圧縮空気を吐出させ、前記空気圧力調整弁は、前記空気圧縮機が吐出する圧縮空気をパイプを介して受け取って設定された圧力に調整して吐出させ、前記空気分配器は、前記空気圧力調整弁が吐出する圧縮空気をパイプを介して受け取って複数の吐出口から吐出させ、前記空気噴射装置は、前記空気分配器の複数の吐出口から吐出される圧縮空気を複数本のビニールホースを介して受け取って各ビニールホースの出口から吹き出させるように構成されており、該空気噴射装置は基台板の上に断面四角形の筒状体を立設し、その筒状体の一側面に前記ビニールホースの本数に等しい数の丸孔を等間隔で設け、前記基台板近くの側面に設けた孔から前記複数のビニールホースを筒状体内に引き込み、各ビニールホースの出口を前記各丸孔に水平方向に向けて取り付けたノズルに連結取付けして構成されており、かかる構成により、前記空気圧縮機が吐出した圧縮空気が前記空気噴射装置に取りつけた複数のビニールホースが接続されたノズルの孔から水平方向に吹き出るようにしてあることを特徴とする身体乾燥装置である。
【０００８】
このような構成によれば、各ノズルは独立したビニールホースを介して空気分配器に接続されているため、圧縮空気は各ノズル９から均等な強さで身体全体に向け放出される。
【０００９】
また、請求項２に記載の考案は、請求項１に記載の身体乾燥装置において、前記空気分配器の各吐出口には、通過する空気の流量を制御する流量制御弁が取り付けてあることを特徴とする身体乾燥装置である。
【００１０】
このように空気分配器の各吐出口に流量制御弁を取り付ければ、各ノズル９から噴射する空気の量を細かく調整することができる。
【００１１】
また、請求項３に記載の考案は、請求項１又は２に記載の身体乾燥装置において、前記空気分配器と空気噴射装置を繋ぐビニールホースの本数は５〜７本であることを特徴とする身体乾燥装置である。
【００１２】
人の身体全体を均等に乾燥させるには、５〜７個のノズルから噴射されるのが適当である。
【図面の簡単な説明】
【００１３】
【図１】本考案に係る身体乾燥装置１の構成図である。
【図２】空気噴射装置４の筒状体側面に設けた空気噴出口である丸孔部の断面構造図である。
【考案を実施するための形態】
【００１４】
以下、本考案を実施するための一形態について図面を参照して説明する。図１は、本考案に係る身体乾燥装置１の構成図である。
身体乾燥装置１は入浴、シャワー等で濡れた身体についた水滴を吹き飛ばして身体を乾燥されるための身体乾燥装置であり、空気圧縮機２と、空気圧力調整弁３と、空気分配器４と、空気噴射装置５と、それらを繋ぐパイプ６と複数本のビニールホース７を用いて構成されている。
【００１５】
空気圧縮機２は外気を取り込んで圧縮する装置で、電動機で駆動される。圧縮された空気は吐出口から吐出される。吐出された圧縮空気はパイプ６を通って空気圧力調整弁３に導かれる。空気圧力調整弁３は、パイプを介して受け取った圧縮空気を設定された圧力に調整して出側から吐出させる。
【００１６】
空気圧力調整弁３から出た圧力調整された空気は、パイプ６を通って空気分配器４に導かれる。空気分配器４は、１本のパイプを介して受け取った圧縮空気を複数の吐出口から吐出させる分配器である。本実施形態では、吐出口の数は６個にしてある。各吐出口にはビニールホース７が接続してあり、全てのビニールホース７は空気噴射装置５内に延びている。
【００１７】
空気噴射装置５は、空気分配器４の複数の吐出口から吐出された圧縮空気を複数本のビニールホース７を介して受け取り、各ビニールホース７の出口部から身体に向けて噴出させる装置である。空気噴射装置５は断面四角形の筒状体であって、基台板８の上に立設してある。その筒状体の一側面には、前記ビニールホース７の本数に等しい数の丸孔が等間隔で設けてある。各丸孔には、水平方向に向けてノズル９が取付けてある。
【００１８】
空気分配器４の吐出口に片側が接続された各ビニールホース７は、断面四角形の筒状体の下端近くの側面に設けた孔１０から筒状体内に引き込まれている。引き込まれた各ビニールホース７は筒状体内を通り、その出口は前記各丸孔に水平方向に向けて取り付けたノズル９の後端側に１本ずつ連結取付けされている。
【００１９】
かかる構成により空気圧縮機２が吐出した圧縮空気は、空気圧力調整弁３、空気分配器４、ビニールホース７を通過して空気噴射装置５の各丸孔に取り付けたノズル９から水平方向に噴射される。６個のノズル９の取付け間隔を調整しておくことにより、６個のノズル９が噴射する圧縮空気を空気噴射装置５の前に立つ濡れた身体全体に吹きつけることができる。
【００２０】
本実施形態の身体乾燥装置１では、空気噴射装置５の各ノズル９は個別のビニールホース７を介して空気分配器４に接続されている。従って、空気分配器４の各吐出口から吐出された圧縮空気は、そのまま確実に対応するノズル９から噴射される。各ノズル９を個別のビニールホース７で空気分配器４の吐出口に接続するのに代えて空気噴射装置５の筒状体上端を封鎖し、空気圧力調整弁３から出る圧縮空気を太い１本のホースでもって筒状体下端近くの孔から筒状体内に噴射して各ノズル９から自由に噴射させる構成も考えられる。しかし、その方法では筒状体内に圧力差が生じて下端近くのノズル９からの噴射は強く，上方のノズル９からの噴射は弱くなる問題が生ずる。本実施形態の身体乾燥装置１では、各ノズル９は独立したビニールホース７を介して空気分配器４に接続されているため、圧力差による影響を受けず、均等な強さで各ノズル９から噴射される。各ノズル９からの噴射強度を更に細かく調整するには、空気分配器４の各吐出口に通過する空気の流量を制御する流量制御弁を取り付けて流量調整できるようにしておくとよい。
【符号の説明】
【００２１】
図面中、１は身体乾燥装置、２は空気圧縮機、３は空気圧力調整弁、４は空気分配器、５は空気噴射装置、６はパイプ、７はビニールホース、８は基台板、９はノズルである。
【図１】
0003235575.tif 000003
【図２】
0003235575.tif 000004